(57)【要約】【課題】携帯電話機能付き端末及びその使用可能化設定方法に関し、携帯電話機能の使用に必要な設定情報及び個人電話帳情報の設定を簡便化し、かつ、該携帯電話機能付き端末の不正使用や個人電話帳情報の不正利用を防ぐ。【解決手段】携帯電話機能付き端末１００から無線回線を介して認証サーバ３００にアクセスし、認証サーバ３００から携帯電話機能を使用可能とするための電話番号情報を含む設定情報及び個人電話帳の情報を携帯電話機能付き端末１００ダウンロードし、携帯電話機能付き端末１００は、該設定情報が記憶されているときのみ携帯電話機能を使用可能となるよう設定制御する。携帯電話機能付き端末１００は、ダウンロードした上記の情報を所定時間経過後に消去する機能、又は、ネットワークの運用者からの制御指示により消去する機能、又は携帯電話機能付き端末１００の電源オフ操作時に消去する機能などを更に備える。【選択図】図１
2007096746.tif 000002
【特許請求の範囲】
【請求項１】
無線回線を介して認証サーバにアクセスする手段と、
携帯電話機能を使用可能とするための電話番号情報を含む設定情報及び個人電話帳の情報を前記認証サーバからダウンロードして記憶する手段と、
前記設定情報が記憶されているときのみ携帯電話機能を使用可能となるよう設定制御する手段と、
を備えたことを特徴とする携帯電話機能付き端末。
【請求項２】
前記ダウンロードされた設定情報及び個人電話帳の情報を所定の期間保持し、該所定の期間経過後に、該設定情報及び個人電話帳の情報を消去する手段を備えたことを特徴とする請求項１に記載の携帯電話機能付き端末。
【請求項３】
ネットワーク側からの制御指示を受信し、該制御指示により、前記ダウンロードされた設定情報及び個人電話帳の情報を消去する手段を備えたことを特徴とする請求項１又は２に記載の携帯電話機能付き端末。
【請求項４】
前記ダウンロードされた設定情報及び個人電話帳の情報が、電源オフにより消去される構成を備えたことを特徴とする請求項１乃至３の何れかに記載の携帯電話機能付き端末。
【請求項５】
携帯電話機能付き端末から無線回線を介して認証サーバにアクセスし、
前記認証サーバから前記携帯電話機能を使用可能とするための電話番号情報を含む設定情報及び個人電話帳の情報を該携帯電話機能付き端末ダウンロードし、
前記携帯電話機能付き端末は、前記設定情報が記憶されているときのみ携帯電話機能を使用可能となるよう設定制御することを特徴とする携帯電話機能付き端末の使用可能化設定方法。
【発明の詳細な説明】
【技術分野】
【０００１】
本発明は、携帯電話機能付き端末及びその使用可能化設定方法に関し、特に、無線ＬＡＮ（Local Area Network）による移動通信システム又は携帯電話会社の移動通信網システムに適用可能な携帯電話機能付き端末及びその使用可能化設定方法に関する。
【背景技術】
【０００２】
従来、携帯電話機などの携帯電話機能付き端末を使用可能にするには、電話番号を該端末に手動で設定して該端末に対して唯一無二の電話番号を付与することにより使用可能となり、以降、該電話番号が該端末に永続的に設定された状態で使用するものであった。
【０００３】
また、該端末の使用者が利用する個人電話帳機能についても、各使用者個人個人が該端末の記憶部に相手先の名前及び電話番号などを登録し、またその更新も個人個人で行っていた。いわば、端末に対して手作業によって端末使用のための各種情報全てを記憶させる方式となっていた。
【０００４】
本発明に関連する先行技術文献として、移動局に登録した情報を他の移動局に簡易に登録することができるようにした移動体通信の移動局及び宛先情報保管装置について下記の特許文献１に記載されている。該特許文献１に記載のものは、移動体通信の移動局に登録する電話番号、ＵＲＬ、メールアドレス等の宛先情報その他の登録対象情報を保管・管理する情報保管装置をデータセンタに設置し、移動局はこの情報保管装置と通信して宛先情報等のアップロードおよびダウンロードを行うものである。
【特許文献１】特開２００１−３１３７３０号公報
【発明の開示】
【発明が解決しようとする課題】
【０００５】
しかしながら、端末使用のための各種情報全てを手作業により記憶させる従来の方式では以下の点で問題があった。
（１）電話番号及び個人電話帳などの設定情報は、端末に保持されているため、端末の破損又は紛失のときなど、それらの設定情報は別端末に移行させなければならないが、ネットワーク運用者による電話番号やその他の使用可能化設定情報の記憶、及び端末使用者（ユーザ）による個人電話帳の再登録といった作業が発生し手間が掛かる。
（２）個人電話帳に登録される相手先の名前及び電話番号などの連絡先登録情報は、相手先の引越し又は人事異動などの要因により変更となる場合があるが、その更新は各端末の使用者（ユーザ）が個人個人で行う必要があり、端末使用者によっては更新漏れを生じる可能性があった。
（３）端末紛失時に、該端末を拾得した悪意のある第三者から以下のような行為が行われる可能性があり、セキュリティ上問題があった。例えば、（ア）端末に付与された電話番号を使用し、容易にその端末の使用者になりすまして電話を発信し、携帯電話機能を不正利用する、（イ）個人電話帳の情報を取得し、個人情報の売買や商取引の勧誘などの目的に個人情報を不正に利用する、など。
本発明は上記の課題を解決するものである。
【課題を解決するための手段】
【０００６】
本発明の携帯電話機能付き端末は、（１）無線回線を介して認証サーバにアクセスする手段と、携帯電話機能を使用可能とするための電話番号情報を含む設定情報及び個人電話帳の情報を前記認証サーバからダウンロードして記憶する手段と、前記設定情報が記憶されているときのみ携帯電話機能を使用可能となるよう設定制御する手段と、を備えたことを特徴とする。
【０００７】
また、（２）前記ダウンロードされた設定情報及び個人電話帳の情報を所定の期間保持し、該所定の期間経過後に、該設定情報及び個人電話帳の情報を消去する手段を備えたことを特徴とする。
【０００８】
また、（３）ネットワーク側からの制御指示を受信し、該制御指示により、前記ダウンロードされた設定情報及び個人電話帳の情報を消去する手段を備えたことを特徴とする。
【０００９】
また、（４）前記ダウンロードされた設定情報及び個人電話帳の情報が、電源オフにより消去される構成を備えたことを特徴とする。
【００１０】
また、本発明の携帯電話機能付き端末の使用可能化設定方法は、（５）携帯電話機能付き端末から無線回線を介して認証サーバにアクセスし、前記認証サーバから前記携帯電話機能を使用可能とするための電話番号情報を含む設定情報及び個人電話帳の情報を該携帯電話機能付き端末ダウンロードし、前記携帯電話機能付き端末は、前記設定情報が記憶されているときのみ携帯電話機能を使用可能となるよう設定制御することを特徴とする。
【発明の効果】
【００１１】
本発明によれば、携帯電話機能付き端末は、ネットワーク側から携帯電話機能の使用に必要な設定情報及び個人電話帳情報をダウンロードして設定することにより、煩雑な手作業を伴うことなくそれらの情報を簡便に携帯電話機能付き端末に設定することができると共に、通常時はそれらの情報を消去しておき、使用時にそれらの情報を設定することにより、携帯電話機能付き端末の紛失時などにおける悪意のある第三者による該携帯電話機能付き端末の不正使用や個人電話帳情報の不正利用を防ぐことができ、セキュリティ性を高めることができる。
【発明を実施するための最良の形態】
【００１２】
図１は本発明が適用されるによるシステムの全体構成を示す。同図の（ａ）は、企業内ネットワークなどの無線ＬＡＮ環境での移動通信システムにおける適用形態を示し、同図の（ｂ）は、携帯電話会社の移動通通信網システムにおける適用形態を示している。
【００１３】
図１の（ａ）及び（ｂ）において、携帯電話端末１００は、ユーザ認証クライアント機能及びネットワーク側から電話番号など携帯電話機として使用可能とするための設定情報（既存の携帯電話機におけるＳＩＭ（Subscriber Identity Module）カード等に格納された契約者情報と同様の情報）及び個人電話帳情報をアップロード及びダウンロードする機能、及びその情報を格納する格納部を備える。
【００１４】
また、無線アクセスポイント（ＡＰ）２００は、ＲＡＤＩＵＳ（Remote Authentication Dial In User Service：ダイヤルアップ接続のための認証システム又は認証を行うためのプロトコル）におけるＲＡＳ（Remote Authentication Server）又はＩＥＥＥ８０２．ＩＸ認証でのＡｕｔｈｅｎｔｉｃａｔｏｒに相当する機能を備える。即ち、クライアントからの認証情報を認証サーバ３００に中継し、認証サーバ３００からの要求情報をクライアントに中継する。また、認証サーバ３００からの認証結果情報に基づき、フィルタ機能を動的に変更する機能を備える。
【００１５】
認証サーバ３００は、ユーザ認証データベース（ＤＢ）４００を参照することで、認証を行うユーザ認証機能を備えるとともに、ユーザ認証情報をキーとしてＳＩＭカード相当情報及び個人電話帳情報を、携帯電話情報データベース（ＤＢ）５００及び個人電話帳サーバ６００から取得し、携帯電話端末１００にダウンロードする機能を備える。
【００１６】
無線基地局７００にも無線アクセスポイント（ＡＰ）２００相当の認証処理機能を備え、移動交換局８００を経由して認証サーバ３００と連携し、端末認証処理、端末を使用可能にする設定データのダウンロード／アップロード及び初期化制御を、上述の無線ＬＡＮによる移動通信システムと同様に実施する。その後、通常の携帯電話会社の移動通信システムと同様にホームレジスタ９００に携帯電話端末１００の位置情報を登録する。そうすることで、携帯電話会社の移動網システムにおいても適用可能である。
【００１７】
以下、無線ＬＡＮによる移動通信システムに適用した実施形態を中心に本発明について説明するが、本発明はそれに限定されることなく、一般の移動通信システムについても同様に適用可能である。また、携帯電話端末１００として、携帯電話機、携帯電話機能付きの情報端末機などが含まれるが、ここではそれらを総称して「携帯電話機能付き端末」又は単に「端末」と記載する。
【００１８】
端末１００はネットワークと無線回線により無線アクセスポイント（ＡＰ）２００を通じて認証を経た後に接続される。また、ネットワーク内には、端末１００のユーザ（使用者）を特定して認証し、該ユーザの電話番号をダウンロードする認証サーバ３００、それぞれのユーザが登録する個人電話帳のデータを格納する個人電話帳サーバ６００、また個人電話帳に登録するための基本情報を格納している個人情報データベース（ＤＢ）６５０が配置される。上述の各ネットワーク機器の機能ブロックを図２及び図３に示す。
【００１９】
図２は端末１００の機能ブロックを示す。端末１００において、１０１は電話機能部、１０２は電話番号記録部、１０３は個人電話帳記録部、１０４はタイマー部、１０５は設定制御部、１０６は基本設定部、１０７は通信処理部、１０８は認証処理部、１０９は表示／制御部、１１０は無線送受部、１１１は認証インタフェース部、１１２はＷｅｂ表示部、１１３は操作インタフェース部である。
【００２０】
また、図３の（ａ）は無線アクセスポイント２００の機能ブロックを示す。無線アクセスポイント（ＡＰ）２００は、無線送受部２０１、認証処理部２０２、有線送受部２０３を備える。
【００２１】
また、認証サーバ３００の機能ブロックを図３の（ｂ）に示す。認証サーバ３００は、有線送受部３０１、認証処理部３０２、個人情報処理部３０３を備える。また、認証サーバ３００内に、ユーザ認証データベース４００や、携帯電話情報データベース５００を具備する形態でもよい。その場合、外部のユーザ認証データベース４００や携帯電話情報データベース５００は不要、または連携させる形態となる。
【００２２】
また、個人電話帳サーバ６００の機能ブロックを図３の（ｃ）に示す。個人電話帳サーバ６００は、有線送受部６０１、制御／応答部６０２、個人電話帳データベース（ＤＢ）６０３を備える。
【００２３】
以下に本発明による携帯電話機能の使用可能化及び使用不可能化の動作について説明する。
〔１〕携帯電話機能を使用可能にする設定動作について
携帯電話機能を使用可能にする設定動作の動作フローを図４（ａ）に、また、各ネットワーク機器間の動作シーケンスを図４（ｂ）に示す。携帯電話機能を使用可能にする設定動作は、図４（ａ）に示すように、端末についてユーザ認証（４ａ−１）を実施し、ユーザ認証情報から該ユーザに係る情報データベース（ＤＢ）を検索し、該ユーザに与えられた唯一無二の電話番号及び該ユーザの個人電話帳の情報を取得し、それらの情報をダウンロードして端末に設定（４ａ−２）することにより、初めて通常の携帯電話としての機能が使用可能な状態になる（４ａ−３）。
【００２４】
上記動作のシーケンスについて図４の（ｂ）を参照して説明する。端末１００には、無線アクセスポイント（ＡＰ）にアクセスするための基本的な情報、例えば電波チャネル識別情報、ＩＥＥＥ８０２．１１の無線ＬＡＮを使用している場合はＥＳＳＩＤ（Extended Service Set Identifier）などの基本設定情報がネットワークの運用者により基本設定部１０６に設定されている。上記基本設定情報以外の情報、例えば、端末に付与される電話番号やユーザが端末に対して登録する個人電話帳の情報などのような個人を特定する情報は端末１００に保持されていない。
【００２５】
ユーザが初回に携帯電話機能を使用する場合、端末１００の認証処理部１０８は、通信処理部１０７／無線送受部１１０を経由して、無線アクセスポイント（ＡＰ）２００にアクセス開始の信号を送出する（４ｂ−１）。無線アクセスポイント（ＡＰ）２００では、認証処理部２０２により、アクセス開始信号の処理、及び認証完了している端末からの信号以外はフィルタリングして破棄するフィルタ処理を行う。
【００２６】
端末１００からアクセス開始の信号を無線送受部２０１から受信した無線アクセスポイント（ＡＰ）２００は、認証処理部２０２から端末１００に対して認証要求を送出する（４ｂ−２）。該認証要求を受信した端末１００の認証処理部１０８は、ユーザ認証情報の入力待ち状態となる。
【００２７】
ユーザは、認証インタフェース部１１１からユーザ認証に関する情報を端末１００に対して入力する。ユーザ認証に関する情報の入力としては、（１）ユーザＩＤ／パスワード入力、（２）カードリーダーによるＩＤカードの挿入とＰＩＮ（Personal Identity Number）コード入力、（３）音声や指紋によるバイオメトリクス情報入力、などによる。
【００２８】
認証処理部１０８では、入力された情報をユーザ認証情報として通信処理部１０７／無線送受部１１０を経由して無線アクセスポイント（ＡＰ）２００に対して送出する（４ｂ−３）。該ユーザ認証情報を受信した無線アクセスポイント（ＡＰ）２００では、認証処理部２０２によりその情報を有線送受信部２０３から認証ＯＫか否かの確認のために、認証サーバ３００に送出する（４ｂ−４）。
【００２９】
認証サーバ３００では、認証処理部３０２にてユーザ認証情報を受信すると、ユーザ認証データベース４００を検索して、ユーザ認証情報が正当ユーザのものかどうかを判定する（４ｂ−５）。正当ユーザのものであった場合は、個人情報処理部３０３を通じて個人電話帳サーバ６００及び携帯電話情報データベース（ＤＢ）５００に対して、認証ユーザの使用する電話番号及び個人電話帳ダウンロード要求を行う（４ｂ−６）と共に、無線アクセスポイント（ＡＰ）２００に対して認証許可の指示を行う。（４ｂ−７）。
【００３０】
無線アクセスポイント（ＡＰ）２００では、認証サーバ３００からの認証許可情報を認証処理部２０２で受信すると、端末１００に対するフィルタによる制限を解除し、端末１００からネットワークにアクセス可能とし、認証許可の通知を行う（４ｂ−８）。また、個人電話帳ダウンロード要求を受信した携帯電話情報データベース（ＤＢ）５００及び個人電話帳サーバ６００では、認証ユーザの個人電話帳情報を検索し、該当データを認証サーバ６００に渡し、端末１００にダウンロードを行う。（４ｂ−９）。
【００３１】
端末１００では、ダウンロードした情報を通信処理部１０７から設定制御部１０５を通じて揮発性メモリに格納する。揮発性メモリの電話番号記録部１０２に電話番号を格納すると、電話機能部１０１はその情報を参照することで電話機能が有効となる。また、個人電話帳サーバ６００から送付されてきた個人電話帳情報は、設定制御部１０５を経由して揮発性メモリの個人電話帳記録部１０３に格納される。こうすることにより、ユーザ認証が正当に行われた端末１００に対して、電話番号及び個人電話帳情報を設定し、該端末１００が利用可能となる。
【００３２】
図５は、上記の動作において参照又は設定される認証情報、電話情報、個人電話帳情報等のデータの具体例及びそのネットワーク機器間でのやり取りの手順を示している。同図において、ユーザ認証データベース（ＤＢ）４００には、認証するユーザのＩＤ／パスワード及びユーザ番号が格納されている。
【００３３】
携帯電話情報データベース（ＤＢ）５００には、ユーザ番号にリンクさせて電話番号などの携帯電話機能を使用可能にするための情報（ＳＩＭカード相当の情報）が格納されている。個人電話帳サーバ６００も、ユーザ番号に対応した個人電話帳のリストがリンクされて格納されている。
【００３４】
端末１００−無線アクセスポイント（ＡＰ）２００−認証サーバ３００間の認証動作は、基本的にＲＡＤＩＵＳ認証／ＩＥＥＥ８０２．ＩＸ認証と同様の動作となる。端末１００からアクセス開始すると（５−１）、無線アクセスポイント（ＡＰ）２００は認証要求を端末１００に返す（５−２）。ユーザは、端末１００からユーザＩＤ／パスワードなどのユーザ認証情報を入力し、無線アクセスポイント（ＡＰ）２００に送信する（５−３）。
【００３５】
無線アクセスポイント（ＡＰ）２００は、ユーザ認証情報を認証サーバ３００に中継し（５−４）、認証サーバ３００は、自装置内部又は外部のユーザ認証データベース（ＤＢ）４００に照会して正当のユーザかどうかをチェックし（５−５，５−６）、正当のユーザである場合は、無線アクセスポイント（ＡＰ）２００に対し、認証ＯＫの旨の情報を送信する（５−７）。無線アクセスポイント（ＡＰ）２００は、認証ＯＫの情報を受信すると、フィルタを修正し、該端末１００のネットワークへのアクセスを許可する。
【００３６】
また、認証サーバ３００は、認証ＯＫを確認すると同時に、個人電話帳サーバ６００及び携帯電話情報データベース（ＤＢ）５００に認証ユーザのデータを要求し（５−８）、個人電話帳サーバ６００からは個人電話帳データを、携帯電話情報データベース（ＤＢ）５００からは電話番号、その他の携帯電話機能を使用するのに必要な情報（携帯電話のＳＩＭカードに相当する情報）を取得し（５−９）、ＦＴＰ（File Transfer Protocol）などのプロトコルにより端末１００へダウンロードを行う（５−１０）。
【００３７】
端末１００は、上記データが認証サーバ３００からダウンロードされると、そのデータを電話番号記録部１０２及び個人電話帳記録部１０３の各格納部に格納する（５−１１）と同時に携帯電話情報を設定することで携帯電話機能が使用可能となる。
【００３８】
〔２〕ダウンロードされた個人電話帳・電話番号を所定期間経過後に端末から自動的に消去する機能について
上記〔１〕の動作により電話番号が端末１００にダウンロードされたとき、端末１００では設定制御部１０５にて該情報を揮発性メモリの電話番号記録部１０２に設定すると共に、タイマー部１０４で電話番号がダウンロードされた時間を記録する。更に、タイマー部１０４では、ダウンロードされた時点からの経過時間を常に監視し、運用者などにより端末１００に事前に設定された、或いはデフォルトとして設定されたデータ保持期間（例えば、８時間／１２時間／１日など）を超えたかどうかをチェックする。
【００３９】
該データ保持期間を超えた場合、タイマー部１０４は設定制御部１０５に対して揮発性メモリの消去依頼を行う。設定制御部１０５では、該依頼により揮発性メモリのリセットを行い、揮発性メモリに保存しているデータを消去して、端末１００の携帯電話機能部１０１を初期化する。これにより、電話番号及び個人電話帳情報が消去され、端末１００をユーザ認証前の初期状態に戻す。
【００４０】
図６は上記所定期間経過後の設定情報の自動消去の動作を示す。同図(ａ)は動作フローを示し、同図（ｂ）は初期化制御の情報のやり取りの手順を示す。所定期間経過後の設定情報の自動消去は、同図(ａ)に示すように、ダウンロードにより携帯電話機能が使用可能となったタイミングでタイマーカウントを開始し（６a−１）、タイマーカウント値が閾値を超えたかどうかを監視する（６ａ−２）。閾値に満たない場合はカウントを継続する。タイマーカウント値が閾値を超えた場合、タイマー部は初期化制御部に対して初期化制御を指示する（６ａ−３）。
【００４１】
初期化制御の手順は、図６の（ｂ）に示すように、タイマー部からの初期化制御指示（６ｂ−１）により、初期化制御部は、ダウンロードした携帯電話番号情報と個人電話帳情報の消去制御を行う（６ｂ−２）とともに、認証クライアント部に認証解除の要求を行う（６ｂ−３）。認証クライアント部は、無線アクセスポイント（ＡＰ）２００に対して認証終了を送信し（６ｂ−４）、認証結果を解除させる。無線アクセスポイント（ＡＰ）２００は、認証結果が解除されたことを認証サーバ３００に通知する（６ｂ−５）。
【００４２】
〔３〕ネットワーク側の運用者からの制御指示により、指定した認証済み端末１００の個人電話帳及び電話番号を消去させ、該端末を使用不能する機能について
運用者は、認証サーバ３００にアクセスし、認証結果を消去すべきユーザを指定する。それを受けて認証サーバ３００は、無線アクセスポイント（ＡＰ）２００及び端末１００に対して認証結果の解除を指示する。
【００４３】
認証結果の解除を指示された無線アクセスポイント（ＡＰ）２００では、該当端末１００に対して認証結果解除指示を転送すると同時に、認証処理部２０２にて該当端末１００に対するフィルタによるアクセス制限指示と共に認証結果の解除を行い、該当端末１００からのネットワークへのアクセスをフィルタリングする。
【００４４】
端末１００では、認証解除の指示を認証処理部１０８で受信すると、認証処理部１０８は、設定制御部１０５に対してリセット指示を行う。設定制御部１０５はリセット制御を受信すると、揮発性メモリのリセット制御により、電話番号及び個人電話帳データを消去するとともに、タイマー部のリセット制御を行い、端末１００を初期化する。これにより、ネットワーク側からの制御指示により、端末１００の個人電話帳及び電話番号を消去し、認証前の初期状態に戻す。
【００４５】
図７の（ａ）に上記動作のフローを示し、図７の（ｂ）に初期化制御の情報のやり取りの手順を示す。同図（ａ）に示すように、携帯電話機能が使用可能な端末１００の初期化制御を運用者が認証サーバ３００に対して指示をする（７ａ−１，７ｂ−１）。認証サーバ３００は該当する端末１００に対して初期化制御を行う（７ａ−２，７ｂ−２）。
【００４６】
端末１００では初期化制御の指示に伴い、個人電話帳情報及び携帯電話情報を消去する制御を行い、各情報格納部の初期状態へのリセットを行う（７ｂ−３）。それとともに認証クライアント部に指示し（７ｂ−４）、認証クライアント部は無線アクセスポイント（ＡＰ）に対して認証結果解除の通知を行い（７ｂ−５）、無線アクセスポイント（ＡＰ）２００は、認証結果解除に対応したフィルタ制御を行うよう設定し、また、認証サーバ３００への認証結果解除の通知を行う（７ｂ−６）。
【００４７】
〔４〕電話番号／個人電話帳を端末の電源オフにより自動消去する機能について
端末１００には揮発性メモリに電話番号及び個人電話帳の情報を保持している。ユーザが端末１００の電源オフ操作を行うと、操作インタフェース部１１３から表示／制御部１０９を経由して設定制御部１０５に電源オフ操作の情報が通知される。
【００４８】
設定制御部１０５では、該情報を受けると通常のシャットダウン処理を実施すると共に、揮発性メモリに保持している電話番号及び個人電話帳の情報を消去する。これによりユーザが端末１００の電源オフの操作を行うと、端末１００は認証前の初期状態に戻り、携帯電話機能を使用することができなくなる。
【００４９】
なお、何らかの原因で電源オフ操作による使用可能化設定情報の消去処理が正常に行われなかった場合でも、電話番号及び個人電話帳情報等の使用可能化設定情報は、揮発性メモリに保持されているため、端末１００の電源オフと共に消去され、他者に利用又は参照されることがない。
【００５０】
上記動作について図８を参照して説明すると、ユーザが端末１００の電源オフ操作を行うと（８aー１，８ｂ−１）、電源制御部は初期化制御を指示し、初期化制御部は初期化制御を実施する（８ａー２、８ｂ−２）。初期化制御により、電話帳／携帯電話情報の消去を行い、各部の初期状態へのリセットを行う（８ａ−３，８ｂ−３）。
【００５１】
それとともに認証クライアント部を経由し、無線アクセスポイント（ＡＰ）２００に対して認証結果解除の通知を行い（８ａ−３，８ｂ−４）、無線アクセスポイント（ＡＰ）２００は認証結果解除によるフィルタ制御、認証サーバへの認証解除の通知を行う（８ｂ−５）。これにより端末１００の初期化が完了し（８ａ−４）、端末１００の携帯電話機能は使用不能となる。
【００５２】
なお、不測の処理中断が発生したときでも、個人電話帳／携帯電話情報が確実に消去されるようにするために、それらの情報をハードディスクやフラッシュメモリなどの不揮発性メモリではなく、揮発性メモリに格納する。これにより端末１００の電源オフ時に確実に消去することが可能となる。
【００５３】
〔５〕個人毎にカスタマイズした個人電話帳をネットワーク側（センター側）で管理する機能について
個人毎に個人電話帳をカスタマイズする際の各機器間の動作シーケンスを図９（ａ）に示す。ユーザが個人電話帳に新規にアドレス／電話番号を追加する場合、端末１００の操作インタフェース部１１３から表示制御部１０９を操作する。表示制御部１０９は、通信処理部１０７／無線送受部１１０を経由して、個人電話帳サーバ６００にアドレス追加要求を送出する（９−１）。
【００５４】
上記要求を受信した個人電話帳サーバ６００では、追加画面を制御／応答部６０２で作成し、画面データを端末１００に送信する。端末１００は該画面データを受信すると表示／制御部１０９を通じてＷｅｂ表示部１１２から追加画面をユーザに対して表示する（９−２）。ユーザは、登録するユーザ個人のキー情報、例えば氏名、電話番号などを入力する。表示／制御部１０９ではその入力された情報を、通信処理部１０７及び無線送受部１１０を経由して個人電話帳サーバ６００に送信する（９−３）。
【００５５】
個人電話帳サーバ６００では、送信されてきたキー情報を元に、制御／応答部６０２から個人情報データベース（ＤＢ）６５０に対して照会を行う（９−４）。個人情報データベース（ＤＢ）６５０では該キー情報を元に検索を実施し、キー情報が一致するユーザの情報を回答する（９−５）。制御／応答部６０２は、回答された情報から追加画面データを作成し、その画面データを端末１００に対して送信する（９−６）。
【００５６】
端末１００は、受信したデータを表示／制御部１０９を通じてＷｅｂ表示画面に出力し、ユーザに表示する。ユーザは表示された画面情報に、必要とする付加的な情報を追加するなどの編集を行う。例えば、所属会社名や他の電話番号やニックネームなど。
【００５７】
編集を終了するとユーザは編集完了を入力し、端末１００にダウンロードした個人電話帳を更新するとともに、個人電話帳サーバ６００に登録情報を送信する（９−７）。個人電話帳サーバ６００では端末１００から送信された情報を元に、保持している該当ユーザの電話帳情報を個人電話帳データベース（ＤＢ）６０３に追加／更新する。これにより、ユーザ毎に電話帳情報をカスタマイズし、個人電話帳サーバ６００にて管理を行うことが可能となる。
【００５８】
〔６〕ネットワーク側（センター側）での一元管理による個人電話帳登録情報の一括更新機能について
ネットワーク側（センター側）での一元管理による個人電話帳登録情報の一括更新の各機器間の動作シーケンスを図９（ｂ）に示す。ネットワーク側（センター側）の個人情報データベース（ＤＢ）６５０には以下の個人情報を格納している。
・ユーザ毎に一意に定められるタグ情報・氏名情報
・電話番号情報
・住所など
【００５９】
タグ情報は、各ユーザを一意に識別するために付与するもので、一旦付与された後は変更されない。ネットワークの運用者は、各ユーザからの申請などを基に、個人情報データベース（ＤＢ）６５０に格納された個人情報（電話番号、氏名など）を更新する。更新を完了した場合、運用者は個人電話帳サーバ６００に更新指示を出す（９−８）。
【００６０】
更新指示を受けた個人電話帳サーバ６００は、更新されたユーザ情報を個人情報データベース（ＤＢ）６５０からダウンロードすると共に、該ダウンロードされたユーザ情報のタグ情報を元に、各ユーザの個人電話帳情報に更新が必要なユーザ情報を含む個人電話帳情報の有無を検索する。
【００６１】
上記検索にヒットした場合、該当ユーザの個人電話帳情報をアップデートして個人電話帳データベースに格納する。こうすることにより、個々のユーザが個人データベース（ＤＢ）に設定されているユーザ情報の変更に対して、個々のユーザが自己の端末１００に対して個人電話帳情報を手動で更新することなく、個人情報データベース（ＤＢ）６５０に登録されているユーザ全員の登録情報の変更を反映した個人電話帳に更新することが可能となる。
【００６２】
このように、個人電話帳情報内のユーザ情報の基本情報を、個人情報データベース（ＤＢ）６５０に登録してネットワーク側の運用者により一元管理し、個入電話帳情報として登録された各連絡相手先の電話番号や所属、氏名などを運用者にて一括して更新することができる。
【００６３】
（付記１）  無線回線を介して認証サーバにアクセスする手段と、携帯電話機能を使用可能とするための電話番号情報を含む設定情報及び個人電話帳の情報を前記認証サーバからダウンロードして記憶する手段と、前記設定情報が記憶されているときのみ携帯電話機能を使用可能となるよう設定制御する手段と、を備えたことを特徴とする携帯電話機能付き端末。
（付記２）  前記ダウンロードされた設定情報及び個人電話帳の情報を所定の期間保持し、該所定の期間経過後に、該設定情報及び個人電話帳の情報を消去する手段を備えたことを特徴とする付記１に記載の携帯電話機能付き端末。
(付記３）  ネットワーク側からの制御指示を受信し、該制御指示により、前記ダウンロードされた設定情報及び個人電話帳の情報を消去する手段を備えたことを特徴とする付記１又は２に記載の携帯電話機能付き端末。
（付記４）  前記ダウンロードされた設定情報及び個人電話帳の情報が、電源オフにより消去される構成を備えたことを特徴とする付記１乃至３の何れかに記載の携帯電話機能付き端末。
（付記５）  携帯電話機能付き端末から無線回線を介して認証サーバにアクセスし、前記認証サーバから前記携帯電話機能を使用可能とするための電話番号情報を含む設定情報及び個人電話帳の情報を該携帯電話機能付き端末ダウンロードし、前記携帯電話機能付き端末は、前記設定情報が記憶されているときのみ携帯電話機能を使用可能となるよう設定制御することを特徴とする携帯電話機能付き端末の使用可能化設定方法。
（付記６）  前記携帯電話機能付き端末からユーザのキー情報を個人電話帳サーバに送信し、個人電話帳サーバは該キー情報を基に検索した個人電話帳の情報を該携帯電話機能付き端末に送信して表示させ、該携帯電話機能付き端末は、該表示された個人電話帳の情報を編集して前記個人電話帳サーバに送信することを特徴とする付記５に記載の携帯電話機能付き端末の使用可能化設定方法。
（付記７）  前記個人電話帳情報内の個人情報をネットワーク側で一元管理する個人情報データベースを備え、個人情報の変更時に該個人情報データベースを更新し、該個人情報データベースの変更を前記個人電話帳情報に反映させるよう、前記個人電話帳情報を更新させることを特徴とする付記５に記載の携帯電話機能付き端末の使用可能化設定方法。
【図面の簡単な説明】
【００６４】
【図１】本発明が適用されるによるシステムの全体構成を示す図である。
【図２】本発明の携帯電話機能付き端末の機能ブロックを示す図である。
【図３】本発明の無線アクセスポイント、認証サーバ及び個人電話帳サーバの機能ブロックを示す図である。
【図４】携帯電話機能を使用可能にする設定動作の動作フロー及び各ネットワーク機器間の動作シーケンスを示す図である。
【図５】携帯電話機能を使用可能にする認証情報、電話情報、個人電話帳情報等のデータの具体例及びそのやり取りの手順を示す図である。
【図６】携帯電話機能を所定期間経過後使用不可能にする動作フロー及びその情報のやり取りの手順を示す図である。
【図７】運用者の制御指示により携帯電話機能を使用不能にする動作フロー及びその情報のやり取りの手順を示す図である。
【図８】端末の電源オフにより携帯電話機能を使用不能にする動作フロー及びその情報のやり取りの手順を示す図である。
【図９】個人毎にカスタマイズした個人電話帳をセンターにて管理する動作シーケンスを示す図である。
【符号の説明】
【００６５】
１００  携帯電話端末
２００  無線アクセスポイント
３００  認証サーバ
４００  ユーザ認証データベース
５００  携帯電話情報データベース
６００  個人電話帳サーバ
６５０  個人情報データベース
７００  無線基地局
８００  移動交換局
９００  ホームレジスタ
【図１】
2007096746.tif 000003
【図２】
2007096746.tif 000004
【図３】
2007096746.tif 000005
【図４】
2007096746.tif 000006
【図５】
2007096746.tif 000007
【図６】
2007096746.tif 000008
【図７】
2007096746.tif 000009
【図８】
2007096746.tif 000010
【図９】
2007096746.tif 000011